(57)【要約】【課題】ヒダを有する包材により少なくとも袋下端に底面部が確実に隠れるとともにタイトな包装形態を感じさせ優れた外観を有する自立性包装袋及び包装体。【解決手段】袋の上下方向に対して直角方向に延びる帯状に三枚重ねとなるヒダ２を有する包材よりなり、包材をループに曲成して端縁同士を背貼りシールされているか、又は包材を二つ折りにして端縁同士をサイドシールされているか、又は包材を二つ折りにして両側をサイドシールされているか、又は包材を半幅に裁断して重ねて両側をサイドシールされていることにより扁平筒が形成され、ヒダより下側の底面部の両隅にコーナーヒートシールが施されかつ各コーナーヒートシールの中途に二つ折り用のプレス押し筋が付与され、コーナーヒートシールの外方の三角コーナーが切除され、ボトムヒートシール又はトップヒートシールが施されて扁平形態に製袋されている。【選択図】　図１
2004123128.tif 000002
【特許請求の範囲】
【請求項１】
袋の上下方向に対して直角方向に延びるヒダであって帯状に三枚重ねとなるように折り返して該折り返し部分の内面同士の重なり面が接着し外面同士の重なり面は接着していないヒダを、該ヒダより下側部分が立体的開袋時に底面部を構成するように有する包材よりなり、包材をループに曲成して端縁同士を背貼りシールされているか、又は包材を二つ折りにして端縁同士をサイドシールされているか、又は包材を二つ折りにして両側をサイドシールされているか、又は包材を半幅に裁断して重ねて両側をサイドシールされていることにより扁平筒が形成され、ヒダより下側の底面部の両隅にコーナーヒートシールが施され、コーナーヒートシールの外方の三角コーナーが切除され、ボトムヒートシール又はトップヒートシールが施されて扁平形態に製袋されていることを特徴とする自立性包装袋。
【請求項２】
袋の上下方向に対して直角方向に延びるヒダであって帯状に三枚重ねとなるように折り返して該折り返し部分の内面同士の重なり面が接着し外面同士の重なり面は接着していないヒダを、該ヒダより下側部分が立体的開袋時に底面部を構成するように有する包材よりなり、包材を二つ折りにして端縁同士をサイドシールされているか、又は包材を二つ折りにして両側をサイドシールされているか、又は包材を半幅に裁断して重ねて両側をサイドシールされていることにより扁平筒が形成され、ボトムヒートシール又はトップヒートシールが施されて扁平形態に製袋されていることを特徴とする自立性包装袋。
【請求項３】
［請求項１］又は［請求項２］に記載の自立性包装袋に被包装品を収容して開口を閉じ合わせヒートシールを施してなることを特徴とする包装体。
【請求項４】
［請求項１］又は［請求項２］に記載の自立性包装袋に被包装品を収容して開口を閉じ合わせヒートシールを施してなり、前面部の下部と後面部の下部が離間して前記ヒダが周面部とは同一平面の袋下端となり、ヒダの内側に底面部が隠れる形態になっていることを特徴とする包装体。
【発明の詳細な説明】
【０００１】
【産業上の利用分野】
本願発明は、帯状に三枚重ねとなるように折り返して該折り返し部分の内面同士を接着してなるヒダを周面部の少なくとも下端に備えて底面部を隠しタイトな包装形態を感じさせる自立性包装袋及び包装体に関する。
【０００２】
【従来の技術】
例えば、特開平１１−０７０９４７、特開平１１−２２７８０１、特開平１１−３１０２４８、特開平１１−３１０２７６、特開平１１−３４９０１３の自立型包装袋は、いわゆるドイパック（登録商標）形態の包装袋であり、前面部の両側縁と後面部の両側縁とが合掌状にサイドヒートシールを施され、立体的開袋状態にすると二つ折りのボトムガセットが平面状に展開して船底形の底面部となり、前面部と底面部の稜及び後面部と底面部の稜にヒダを備えていて底面部を隠す形態である。
なお、特開平０６−２８６７５８、特開２０００−１５３８５２、特開２０００−２７２６３４の自立型包装袋も、底部がドイパック形態と同一の包装袋である。
【０００３】
特開２０００−１８５７４０、特開２０００−２２９６４６、特開２０００−３０９３４５の自立型包装袋は、袋が扁平状態に製袋され、前面部と後面部と側面部と底面部を有し前面部の端縁と側面部の端縁とが合掌状にサイドヒートシールを施され、又、後面部の端縁と側面部の端縁とが合掌状にサイドヒートシールを施され、立体的開袋状態において前記サイドヒートシールの下部が底面部の側縁に来て水平方向に延びている。この自立性包装袋は、前面部と底面部の稜と後面部と底面部の稜にヘム（折り癖）やヒダがないので、はっきりとした底面部が区画されておらず見栄えが悪く自立性が悪い。
【０００４】
【発明が解決しようとする課題】
本願発明は、上述した点に鑑み案出したもので、帯状に三枚重ねとなるように折り返して該折り返し部分の内面同士を接着してなるヒダを周面部の少なくとも下端に備えて底面部を隠し、ヒダに皺が発生する惧れがなく外観が綺麗なヒダが得られ特にヒダとしての独立した外観を呈さず周面部と一平面を形成してタイトな包装形態を感じさせ、ヒダ部分の完全密封が確保され、自立性を有しない形態から自立性を有する形態に容易に形態変更できて、各種被包装物に合わせて吊るした状態、積み重ねた状態、又は自立させた状態のいずれの展示方法の選択ができる自立性包装袋及び包装体を提供することを目的としている。
【０００５】
【課題を解決するための手段】
［請求項１］に記載の発明は、袋の上下方向に対して直角方向に延びるヒダであって帯状に三枚重ねとなるように折り返して該折り返し部分の内面同士の重なり面が接着し外面同士の重なり面は接着していないヒダを、該ヒダ２より下側部分が立体的開袋時に底面部を構成するように有する包材よりなり、包材をループに曲成して端縁同士を背貼りシールされているか、又は包材を二つ折りにして端縁同士をサイドシールされているか、又は包材を二つ折りにして両側をサイドシールされているか、又は包材を半幅に裁断して重ねて両側をサイドシールされていることにより扁平筒が形成され、ヒダより下側の底面部の両隅にコーナーヒートシールが施され、コーナーヒートシールの外方の三角コーナーが切除され、ボトムヒートシール又はトップヒートシールが施されて扁平形態に製袋されていることを特徴とする自立性包装袋である。
【０００６】
［請求項２］に記載の発明は、袋の上下方向に対して直角方向に延びるヒダであって帯状に三枚重ねとなるように折り返して該折り返し部分の内面同士の重なり面が接着し外面同士の重なり面は接着していないヒダを、該ヒダより下側部分が立体的開袋時に底面部を構成するように有する包材よりなり、包材をループに曲成して端縁同士を背貼りシールされているか、又は包材を二つ折りにして端縁同士をサイドシールされているか、又は包材を二つ折りにして両側をサイドシールされているか、又は包材を半幅に裁断して重ねて両側をサイドシールされていることにより扁平筒が形成され、ボトムヒートシール又はトップヒートシールが施されて扁平形態に製袋されていることを特徴とする自立性包装袋である。
【０００７】
［請求項３］に記載の発明は、［請求項１］又は［請求項２］に記載の自立性包装袋に被包装品を収容して開口を閉じ合わせヒートシールを施してなることを特徴とする包装体である。
【０００８】
［請求項４］に記載の発明は、［請求項１］又は［請求項２］に記載の自立性包装袋に被包装品を収容して開口を閉じ合わせヒートシールを施してなり、前面部の下部と後面部の下部が離間して前記ヒダが周面部とは同一平面の袋下端となり、ヒダの内側に底面部が隠れる形態になっていることを特徴とする包装体である。
【０００９】
【発明の実施の形態】
本願発明の第一の実施の形態にかかる自立性包装袋及びその包装体を図１を参照して説明する。
図１（ｃ）は、自立性包装袋Ｐ１ａを示す。図１（ｄ）に示す包装体Ｐ１ｂは、図１（ｃ）の自立性包装袋Ｐ１ａを用いて自立性を有しない形態に包装した包装体を示す。図１（ｆ）に示す包装体Ｐ１ｃは、図１（ｃ）の自立性包装袋Ｐ１ａを用いて自立性を有する形態に包装した包装体を示す。
図１（ｃ）の自立性包装袋Ｐ１ａは、図１（ａ）に示すように、袋の上下方向（矢印Ｙの方向）に対して直角方向に延びるヒダであって包材下部が包材上部の内側に来るように帯状に三枚重ねとなるように折り返してヒートシールにより該折り返し部分の内面同士の重なり面が接着し外面同士の重なり面は接着していないヒダ２を、該ヒダ２より下側部分が立体的開袋時に底面部を構成する関係寸法となるように有する包材１を用い、図１（ｂ）に示すように、該包材１を例えば平行板（図示しない）に一巻きにして水平断面がループ状になるように曲成して袋幅の略中央で包材両側縁１ａ，１ａを突き合わせ（製作の精度上０．５〜２ｍｍ位の隙間が空いてしまう突合せも含まれる）、突き合せ部分の内面側に延伸フィルムの両面に無延伸フィルムを積層してなる両面ヒートシール性を有する接続テープ３を当てて外方からヒートシーラー（図示しない）を押し当てて、包材両側縁１ａ，１ａと接続テープ３をヒートシール接続して扁平筒状とし、続いて、図１（ｃ）に示すように、下端にボトムヒートシール４を施しかつヒダ２よりも下側の底面部を構成する部分５の両隅に斜めシールであるコーナーヒートシール６，６を施し、さらにコーナーヒートシール６，６の中途に立体的開袋時に該斜めのヒートシール部分が二つ折りに折れやすくなるためのプレス押し筋７，７を付与し、余分の両隅三角部８，８を切除してなる。
図１（ｃ）に示す自立性包装袋は、図１（ｄ）に示すように、袋下部に自立性を持たせることをしない扁平のままで、上端開口を開いて被包装物（図示しない）を収容して上端開口を閉じてトップヒートシール９を施し、吊るし孔１０，１０を穿ち、開封用の左右一対のノッチ１１，１１を設けて自立性を有しない包装体Ｐ１ｂとすることができる。
図１（ｄ）に示す自立性を有しない包装体Ｐ１ｂは、吊るして陳列するのに好ましい形態、及び、段ボール箱内に積み重ねて収容するするのに好ましい形態である。
そして、図１（ｄ）に示す自立性を有しない包装体Ｐ１ｂは、前面側と後面側のヒダ２の下側に指を掛けて互いに離間すると、図１（ｆ）に示す自立性を有する包装体Ｐ１ｃに極めて容易に形態変更できる。詳述すると、前面側と後面側のヒダ２の付近を互いに離間することで、第一段階の形態変化として図１（ｅ）に示すように、ヒダ２より下側部分５の中央部５ａが平面展開しかつその両側部分に三角耳５ｂ，５ｂが前後方向に起立してプレス押し筋７が三角耳５ｂの外側の立上がり基端に来るので、各三角耳５ｂを外側に倒す力を軽く加えると第二段階の形態変化として各三角耳５ｂが倒れてヒダ２の内側に隠れるように容易に折り畳まれ、もって、図１（ｆ）に示す、自立性を有する底面状態になる。
従って、店内に吊るされるか又は棚に積み重ねて陳列されている図１（ｄ）に示す自立性を有しない形態の包装体Ｐ１ｂを消費者が購入し、開封する前又は後に、図１（ｅ）に示す形態を経て図１（ｆ）に示す自立性を有する包装体Ｐ１ｃに極めて容易に形態変更できる。他方、店員が、図１（ｆ）に示す自立性を有する包装体Ｐ１ｃとして棚に立てて陳列することもできる。包装体Ｐ１ｃが自立性を有し上端が切り開かれることは、被包装物が液体、粉粒体、その他流動体であるとき、あるいは、ばらもののお菓子類であるとき、あるいは電子レンジ加熱食品であるときに好ましい。
なお、給袋充填包装機において、図１（ｃ）に示す自立性包装袋Ｐ１ａの上端開口を開きかつ底面部を図１（ｆ）に示すように平面展開して自立性を持たせた状態で被包装物（図示しない）を収容し上端開口を閉じてトップヒートシール９を施し、吊るし孔１０，１０を穿ち、ノッチ１１，１１を設けて、図１（ｆ）に示す包装体Ｐ１ｃとして段ボール箱に詰めて流通・運送しても良い。
【００１０】
本願発明の第二の実施の形態にかかる自立性包装袋及びその包装体を図２を参照して説明する。
図２（ｃ）は、自立性包装袋Ｐ２ａを示す。図２（ｄ）に示す包装体Ｐ２ｂは、図２（ｃ）の自立性包装袋Ｐ２ａを用いて自立性を有しない形態に包装した包装体を示す。図２（ｅ）に示す包装体Ｐ２ｃは、図２（ｃ）の自立性包装袋Ｐ２ａを用いて自立性を有する形態に包装した包装体を示す。
図２（ｃ）の自立性包装袋Ｐ２ａは、図２（ａ）に示すように、袋の上下方向（矢印Ｙの方向）に対して直角方向に延びるヒダであって包材下部が包材上部の内側に来るように帯状に三枚重ねとなるように折り返してヒートシールにより該折り返し部分の内面同士の重なり面が接着し外面同士の重なり面は接着していないヒダ２を、該ヒダ２より下側部分が立体的開袋時に底面部を構成する関係寸法となるように有する包材１を用い、図２（ｂ）に示すように、該包材１を例えば平行板（図示しない）に一巻きにして水平断面がループ状になるように曲成して袋幅の略中央で包材両側縁１ａ，１ａを突き合わせ（製作の精度上０．５〜２ｍｍ位の隙間が空いてしまう突合せも含まれる）、突き合せ部分の内面側に延伸フィルムの両面に無延伸フィルムを積層してなる両面ヒートシール性を有する接続テープ３を当てて外方からヒートシーラー（図示しない）を押し当てて、包材両側縁１ａ，１ａと接続テープ３をヒートシール接続して扁平筒状とし、続いて、図２（ｃ）に示すように、ヒダ２よりも下側の底面部を構成する部分５の両隅に斜めシールであるコーナーヒートシール６，６を施し、さらにコーナーヒートシール６，６の中途に立体的開袋時に該斜めのヒートシール部分が二つ折りに折れやすくなるためのプレス押し筋７，７を付与し、余分の両隅三角部８，８を切除し、又、扁平筒の上端縁にトップヒートシール９を施し吊るし孔１０，１０を穿ち、開封用の左右一対のノッチ１１，１１を設けてなる。
図２（ｃ）に示す自立性包装袋Ｐ２ａは、図２（ｄ）に示すように、袋の上下を逆さにして袋下端開口を開いて被包装物（図示しない）を収容して下端開口を閉じてボトムヒートシール４を施し、自立性を有しない包装体Ｐ２ｂとすることができ、これは図１（ｄ）に示す包装体Ｐ１ｂと全く同一の形態になり、従って、図２（ｃ）に示す自立性包装袋Ｐ２ａは、図１（ｃ）に示す包装体Ｐ１ａと全く同一の効果が得られ、図２（ｄ）に示す包装体Ｐ２ｂは、図２（ｅ）に示す自立性を有する包装体Ｐ２ｃに極めて容易に形態変更できる。
【００１１】
本願発明の第三の実施の形態にかかる自立性包装袋及びその包装体を図３を参照して説明する。
図３（ｃ）は、自立性包装袋Ｐ３ａを示す。図３（ｄ）に示す包装体Ｐ３ｂは、図３（ｃ）の自立性包装袋Ｐ３ａを用いて自立性を有しない形態に包装した包装体を示す。図３（ｆ）に示す包装体Ｐ３ｃは、図３（ｃ）の自立性包装袋Ｐ３ａを用いて自立性を有する形態に包装した包装体を示す。
図３（ｃ）の自立性包装袋Ｐ３ａは、図３（ａ）に示すように、袋の上下方向（矢印Ｙの方向）に対して直角方向に延びるヒダであって包材下部が包材上部の内側に来るように帯状に三枚重ねとなるように折り返してヒートシールにより該折り返し部分の内面同士の重なり面が接着し外面同士の重なり面は接着していないヒダ２を、該ヒダ２より下側部分が立体的開袋時に底面部を構成する関係寸法となるように有する包材１を用い、図３（ｂ）に示すように、該包材１を二つ折りにするか又は幅半分に半裁してから重ね合わせ、両側縁をヒートシーラーで挟圧してサイドヒートシール１２，１２を施して扁平筒状とし、続いて、図３（ｃ）に示すように、下端にボトムヒートシール４を施しかつヒダ２よりも下側の底面部を構成する部分５の両隅に斜めシールであるコーナーヒートシール６，６を施し、さらにコーナーヒートシール６，６の中途に立体的開袋時に該斜めのヒートシール部分が二つ折りに折れやすくなるためのプレス押し筋７，７を付与し、余分の両隅三角部８，８を切除してなる。
図３（ｃ）に示す自立性包装袋Ｐ３ａは、図３（ｄ）に示すように、袋下部に自立性を持たせることをしない扁平のままで、上端開口を開いて被包装物（図示しない）を収容して上端開口を閉じてトップヒートシール９を施し、吊るし孔１０，１０を穿ち、開封用の左右一対のノッチ１１，１１を設けて自立性を有しない包装体Ｐ３ｂとすることができる。
図３（ｄ）に示す形態の包装体Ｐ３ｂは、吊るして陳列するのに好ましい形態、及び、段ボール箱内に積み重ねて収容するのに好ましい形態である。
そして、図３（ｄ）に示す形態の包装体Ｐ３ｂは、前面側と後面側のヒダ２の下側に指を掛けて互いに離間すると、図３（ｆ）に示す自立性を有する形態の包装体Ｐ３ｃに極めて容易に形態変更できる。詳述すると、前面側と後面側のヒダ２の付近を互いに離間することで、第一段階の形態変化として図３（ｅ）に示すように、ヒダ２より下側部分５の中央部５ａが平面展開しかつその両側部分に三角耳５ｂ，５ｂが前後方向に起立してプレス押し筋７が三角耳５ｂの外側の立上がり基端に来るので、各三角耳５ｂを外側に倒す力を軽く加えると第二段階の形態変化として各三角耳５ｂが倒れてヒダ２の内側に隠れるように容易に折り畳まれ、もって、図３（ｆ）に示す、自立性を有する底面状態になる。
従って、店内に吊るされるか又は棚に積み重ねて陳列されている図３（ｄ）に示す自立性を有しない形態の包装体Ｐ３ｂを消費者が購入し、開封する前又は後に、図３（ｅ）に示す形態を経て図３（ｆ）に示す自立性を有する包装体Ｐ３ｃに極めて容易に形態変更できる。他方、店員が、図３（ｆ）に示す自立性を有する包装体Ｐ３ｃとして棚に立てて陳列することもできる。包装体Ｐ３ｃが自立性を有し上端が切り開かれることは、被包装物が液体、粉粒体、その他流動体であるとき、あるいは、ばらもののお菓子類であるとき、あるいは電子レンジ加熱食品であるときに好ましい。
なお、給袋充填包装機において、図３（ｃ）に示す自立性包装袋の上端開口を開きかつ底面部を図３（ｆ）に示すように平面展開して自立性を持たせた状態で被包装物（図示しない）を収容し上端開口を閉じてトップヒートシール９を施し、吊るし孔１０，１０を穿ち、ノッチ１１，１１を設けて、図３（ｆ）に示す包装体Ｐ３ｃとして段ボール箱に詰めて流通・運送しても良い。
【００１２】
本願発明の第四の実施の形態にかかる自立性包装袋及びその包装体を図４を参照して説明する。
図４（ｃ）は、自立性包装袋Ｐ４ａを示す。図４（ｄ）に示す包装体Ｐ４ｂは、図４（ｃ）の自立性包装袋Ｐ４ａを用いて自立性を有しない形態に包装した包装体を示す。図４（ｅ）に示す包装体Ｐ４ｃは、図４（ｃ）の自立性包装袋Ｐ４ａを用いて自立性を有する形態に包装した包装体を示す。
図４（ｃ）の自立性包装袋Ｐ４ａは、図４（ａ）に示すように、袋の上下方向（矢印Ｙの方向）に対して直角方向に延びるヒダであって包材下部が包材上部の内側に来るように帯状に三枚重ねとなるように折り返してヒートシールにより該折り返し部分の内面同士の重なり面が接着し外面同士の重なり面は接着していないヒダ２を、該ヒダ２より下側部分が立体的開袋時に底面部を構成する関係寸法となるように有する包材１を用い、図４（ｂ）に示すように、該包材１を二つ折りにするか又は幅半分に半裁してから重ね合わせ、両側縁をヒートシーラーで挟圧してサイドヒートシール１２，１２を施して扁平筒状とし、続いて、図４（ｃ）に示すように、ヒダ２よりも下側の底面部を構成する部分５の両隅に斜めシールであるコーナーヒートシール６，６を施し、さらにコーナーヒートシール６，６の中途に立体的開袋時に該斜めのヒートシール部分が二つ折りに折れやすくなるためのプレス押し筋７，７を付与し、余分の両隅三角部８，８を切除し、又、扁平筒の上端縁にトップヒートシール９を施し吊るし孔１０，１０を穿ち、開封用の左右一対のノッチ１１，１１を設けてなる。
図４（ｃ）に示す自立性包装袋Ｐ４ａは、図４（ｄ）に示すように、袋の上下を逆さにして袋下端開口を開いて被包装物（図示しない）を収容して下端開口を閉じてボトムヒートシール４を施し、自立性を有しない包装体Ｐ４ｂとすることができ、これは図３（ｄ）に示す包装体Ｐ３ｂと全く同一の形態になり、従って、図４（ｃ）に示す自立性包装袋Ｐ４ａは、図３（ｃ）に示す包装体Ｐ３ａと全く同一の効果が得られ、図４（ｄ）に示す包装体Ｐ４ｂは、図４（ｅ）に示す自立性を有する包装体Ｐ４ｃに極めて容易に形態変更できる。
【００１３】
本願発明の第一乃至第四の実施の形態にかかる自立性包装袋及びその包装体において、帯状に三枚重ねとなるように折り返して該折り返し部分の内面同士の重なり面が接着し外面同士の重なり面は接着していないヒダ２を形成するには、包材を突き込み板で突き込んで突き込み板を後退させて二枚合わせ部分を作ってヒートシールを施して横に倒すことで達成できる。
本願発明の第三及び第四の実施の形態において、コーナーヒートシール６，６を施すこと、及びその外方の両隅三角部８，８を切除することを行なわないでできる自立性包装袋及びその包装体であっても、自立性を有しない形態から自立性を有する形態に容易に形態変更できて、各種被包装物に合わせて吊るした状態、積み重ねた状態、又は自立させた状態のいずれの展示方法の選択ができるので、本願発明に含む。
本願発明の第一乃至第四の実施の形態にかかる自立性包装袋及びその包装体において、ヒダ２は、ヒートシールにより形成されることが好ましいが、効率が悪いけれども接着剤によるパートコート接着を排除しない。
本願発明の第一及び第二の実施の形態にかかる自立性包装袋及びその包装体において、接続テープ３を延伸フィルムの両面に未延伸のシーラントフィルムを積層してなる三層フィルムとする理由は、ボトムヒートシールとトップヒートシールとヒダの部分における該接続テープ同士のヒートシールの確保のためである。なお、包材１はシーラントフィルム単体より構成されていても良い。又、ヒートシール性を有しない延伸フィルムの両縁にヒートシール剤を塗布したものであっても良い。
【００１４】
本願発明の自立性包装袋を製作するための包材１は例えば以下のような積層フィルムからなる。
（１）　ＯＰＰ　２０μｍ／接着剤／ＬＬＤＰＥ　２０μｍ　・・・・（外層／内層：シーラント）
（２）　ＯＰＰ　２０μｍ／接着剤／一軸延伸または二軸延伸ＨＤＰＥ／接着剤／ＬＬＤＰＥ・・・・（外層／中間層／内層：シーラント）
（３）　ＯＰＰ　２０μｍ／接着剤／アルミニウム箔／接着剤／ＬＬＤＰＥ　２０μｍ・・・・（外層／中間層／内層：シーラント）
（４）　ＯＰＰ（シリカ又はアルミナ蒸着層）／接着剤／一軸延伸または二軸延伸ＨＤＰＥ／接着剤／ＬＬＤＰＥ　２０μｍ・・・・（外層／中間層／内層：シーラント）
（５）ＰＥＴ２０μｍ／接着剤／アルミニウム箔／接着剤／ＯＰＰ２０μｍ／接着剤／ＬＬＤＰＥ　２０μｍ・・・・（外層／中間層／中間層／中間層／内層：シーラント）
（６）　紙／接着剤ＬＬＤＰＥ　　５０μｍ・・・・（外層／内層：シーラント）
（７）　ＰＥＴ　１２μｍ／接着剤／ＬＬＤＰＥ　２０μｍ　・・・・（外層／内層：シーラント）
（８）　ＡＬ　９μｍ／接着剤／ＬＬＤＰＥ　　７０μｍ・・・・（外層／内層：シーラント）
（９）　ＰＥＴ・ＳｉＯｘ　１２μｍ／接着剤／ＬＬＤＰＥ　　１００μｍ　・・・・（外層／内層：シーラント）
（１０）　ＣＰＰ　５μｍ・ＯＰＰ　３０μｍ共押出し／接着剤／ＣＰＰ　２０μｍ　・・・・（外層／内層；内外面シーラント）
ヒダをヒートシールにより形成するために、上記の包材の構成の例示は内面がシーラントフィルムとなっている。
【００１５】
本願発明の第一乃至第四の実施の形態にかかる自立性包装袋及びその包装体の変形例として、コーナーヒートシール６，６をくの字に曲がった形状でなく、直線状、湾曲状としても良い。
本願発明の第一及び第二の実施の形態にかかる自立性包装袋及びその包装体の変形例として、接続テープ３を用いずに、包材両側縁１ａ，１ａを合掌状に突き合わせてセンターヒートシールを直接施して横に倒して加熱して倒れた状態を維持するピロー形態としても良い。
本願発明の第三及び第四の実施の形態にかかる自立性包装袋及びその包装体の変形例として、該包材１を二つ折りにするときはしてから重ね合わせ、包材側端縁同士にサイドヒートシール１２を施し、反対側のループ状の折り返し端縁はサイドヒートシールを施さなくても良い。
【００１６】
本願発明の第一乃至第四の実施の形態にかかる自立性包装袋を量産するには、ヒダが袋の長さピッチで付いているヒダ付きの連続する包材を用いフォーマーに掛けて縦ヒートシールして連続するヒダ付きの扁平筒を形成する。
【００１７】
本願発明の第一乃至第四の実施の形態にかかる自立性包装袋は、上部に、スパウトを備えること、注ぎ口を設けること、ジッパーを設けること、高圧蒸気で開封するシール弁を設けること、カットテープを設けることなども技術的範囲に含まれる。
【００１８】
【発明の効果】
以上説明してきたように、本願発明の自立性包装袋及び包装体は、帯状に三枚重ねとなるように折り返して該折り返し部分の内面同士を接着してなるヒダを少なくとも前面部と後面部の下端又は周面部の下端に備えて底面部を隠すようにした構成であり、包材が平面のときにヒダを形成してから袋を作るので、ヒダに皺が発生する惧れがなく外観が綺麗なヒダが得られ、ヒダが前後面の延長端縁に位置し、ヒダとしての独立した外観を呈さず前面部や後面部又は周面部と一平面を形成しているのでタイトな包装形態を感じさせ、包装形態として美観に優れており、ヒダ部分の完全密封が確保され、自立性を有しない形態から自立性を有する形態に容易に形態変更できて、各種被包装物に合わせて吊るした状態、積み重ねた状態、又は自立させた状態のいずれの展示方法の選択ができる。特に［請求項２］に記載の自立性包装袋及びその包装体は、コーナーヒートシールの中ほどにプレス押し筋を付与したので自立性を有しない形態から自立性を有する形態に極めて容易に形態変更できる。
又、店舗では吊るされるか又は棚に積み重ねて陳列されている自立性を有しない形態の包装体を消費者が購入し、開封する前又は後に、自立性を有する包装体に極めて容易に形態変更できる。包装体が自立性を有し上端が切り開かれることは、被包装物が液体、粉粒体、その他流動体であるとき、あるいは、ばらもののお菓子類であるとき、あるいは電子レンジ加熱食品であるときに好ましい。
【図面の簡単な説明】
【図１】本願発明の第一の実施の形態にかかる自立性包装袋を示す。
図１（ａ）はヒダ付き包材の斜視図、図１（ｂ）はヒダ付き扁平筒とした状態を示す斜視図、図１（ｃ）は自立性包装袋の斜視図である。図１（ｄ）は自立性を有しない包装体の斜視図、図１（ｅ）は前面側と後面側のヒダの付近を互いに離間した底面部の第一段階の平面展開状態を示す包装体の斜視図、図１（ｆ）は自立性を有する包装体の斜視図である。
【図２】本願発明の第二の実施の形態にかかる自立性包装袋を示す。
図２（ａ）はヒダ付き包材の斜視図、図２（ｂ）はヒダ付き扁平筒とした状態を示す斜視図、図２（ｃ）は自立性包装袋の斜視図である。図２（ｄ）は自立性を有しない包装体の斜視図、図２（ｅ）は自立性を有する包装体の斜視図である。
【図３】本願発明の第三の実施の形態にかかる自立性包装袋を示す。
図３（ａ）はヒダ付き包材の斜視図、図３（ｂ）はヒダ付き扁平筒とした状態を示す斜視図、図３（ｃ）は自立性包装袋の斜視図である。図３（ｄ）は自立性を有しない包装体の斜視図、図３（ｅ）は前面側と後面側のヒダの付近を互いに離間した底面部の第一段階の平面展開状態を示す包装体の斜視図、図３（ｆ）は自立性を有する包装体の斜視図である。
【図４】本願発明の第四の実施の形態にかかる自立性包装袋を示す。
図４（ａ）はヒダ付き包材の斜視図、図４（ｂ）はヒダ付き扁平筒とした状態を示す斜視図、図４（ｃ）は自立性包装袋の斜視図である。図４（ｄ）は自立性を有しない包装体の斜視図、図４（ｅ）は自立性を有する包装体の斜視図である。
【符号の説明】
本願発明の第三の実施の形態にかかる自立性包装袋及びその包装体を図３を参照して説明する。
Ｐ１ａ・・・自立性包装袋、Ｐ１ｂ・・・自立性を有しない包装体、Ｐ１ｃ・・・自立性を有する包装体、１・・・包材、２・・・ヒダ、１ｂ・・・包材両側縁、３・・・接続テープ、４・・・ボトムヒートシール、５・・・ヒダよりも下側の底面部を構成する部分、６・・・コーナーヒートシール、７・・・プレス押し筋、８・・・余分の両隅三角部、９・・・トップヒートシール、１０・・・吊るし孔、１１・・・ノッチ、１２・・・サイドヒートシール、Ｐ２ａ・・・自立性包装袋、Ｐ２ｂ・・・自立性をを有しない包装体、Ｐ２ｃ・・・自立性を有する包装体、Ｐ３ａ・・・自立性包装袋、Ｐ３ｂ・・・自立性をを有しない包装体、Ｐ３ｃ・・・自立性を有する包装体、Ｐ４ａ・・・自立性包装袋、Ｐ４ｂ・・・自立性をを有しない包装体、Ｐ４ｃ・・・自立性を有する包装体、
【図１】
2004123128.tif 000003
【図２】
2004123128.tif 000004
【図３】
2004123128.tif 000005
【図４】
2004123128.tif 000006